(57)【要約】 【課題】撮像装置に内蔵されたスタンドを使用して、長時間撮影する場合に効率良く放熱を行うことができる撮像装置を提供する。【解決手段】 本体に開閉可能に取り付けられたスタンドと、熱伝導率の高い材料で形成された三脚取り付け部材と、凹形状のスタンド収納部と、発熱源である電気素子が実装された回路基板を有し、前記三脚取り付け部材は、前記回路基板に接触し、前記凹形状のスタンド収納部と固定され、スタンド開き状態に前記凹形状のスタンド収納部より放熱を行う。【選択図】 図７
2015004828.tif 000002
【特許請求の範囲】
【請求項１】
本体に、少なくとも収納位置と、使用位置の２つの位置に移動可能に取り付けられたスタンドと、
熱伝導率の高い材料で構成された三脚取り付け部材と
発熱源である電気素子が実装された回路基板と、
凹形状のスタンド収納部を有し、
前記三脚取り付け部材は、前記回路基板と接続され、
前記三脚取り付け部材は、前記凹形状のスタンド収納部の底面と締結部材により締結され、
スタンドの前記収納位置においては、前記スタンドは、前記凹形状のスタンド収納部の底面を覆い、
スタンドの前記使用位置においては、前記凹形状のスタンド収納部の底面を露出することを特徴とする撮像装置。
【請求項２】
前記凹形状のスタンド収納部に、前記三脚取り付け部材に通じる放熱孔を有することを特徴とする請求項１に記載の撮像装置。
【請求項３】
前記凹形状のスタンド収納部と、前記凹形状のスタンド収納部の底面部を別の部材とし、
前記凹形状のスタンド収納部より、前記スタンド凹形状のスタンド収納部の底面部のほうが高い熱伝導率の部材で構成されたことを特徴とする請求項１に記載の撮像装置。
【発明の詳細な説明】
【技術分野】
【０００１】
本発明は、スタンドを有する撮像装置の放熱に関するものである。
【背景技術】
【０００２】
近年、デジタルカメラ等の撮像装置では、高画素化に伴い、信号処理ＩＣの高速化が求められるようになった。高速化に伴い信号処理ＩＣの消費電力は多くなり、連続撮影や動画の長時間撮影時には内部が高温になるといった問題があった。
【０００３】
動画の長時間撮影をする場合では、従来、三脚にカメラを取り付け、固定を行い撮影していた。そこで、三脚をカメラの三脚取り付け部材に取り付けた場合、回路基板に実装された電気素子で発生した熱を三脚取り付け部材を通して三脚に放熱する技術が提案されている（特許文献１）。また、この先行例では、三脚取り付け部材に三脚を取り付けてない状態においては、三脚取り付け部材から直接外気に放熱することが提案されている。
【先行技術文献】
【特許文献】
【０００４】
【特許文献１】特開２００１−１２５１９１号公報
【発明の概要】
【発明が解決しようとする課題】
【０００５】
しかし、三脚取り付け部材から直接外気に放熱する方法では、三脚に取り付けての放熱に比べ、効果は薄く、内部が高温になってしまうといった問題点がある。
【０００６】
三脚を使用せずに動画の長時間撮影をする場合では、内蔵スタンドを使用することが考えられるが、上記の問題点があり、やはり、内部が高温になってしまう。
【０００７】
そこで、本発明では、三脚を取り付けず、内蔵されたスタンドを使用し長時間撮影したときの効率の良い放熱を実現できる撮像装置を提供することを目的とする。
【課題を解決するための手段】
【０００８】
上記目的を達成するために、本発明の撮像装置は、少なくとも収納位置と、使用位置の２つの位置に移動可能に取り付けられたスタンドと、熱伝導率の高い材料で形成された三脚取り付け部材と、凹形状のスタンド収納部と、発熱源である電気素子が実装された回路基板と、を有し、前記三脚取り付け部材は、回路基板に接触し、凹形状のスタンド収納部と締結されていることを特徴としている。
【発明の効果】
【０００９】
本発明によれば、カメラに内蔵されたスタンドを使用し、長時間使用する場合にも効率良く放熱させることができる。
【図面の簡単な説明】
【００１０】
【図１】第１の実施形態のビデオカメラの外観斜視図である。
【図２】第１の実施形態のビデオカメラの表示ユニットを開いた状態の外観斜視図である。
【図３】第１の実施形態のビデオカメラの構成を説明するブロック図である。
【図４】第１の実施形態のビデオカメラの長時間撮影時の撮影形態の外観斜視図である。
【図５】第１の実施形態のビデオカメラの分解斜視図である。
【図６】第１の実施形態のビデオカメラの回路基板の斜視図である
【図７】第１の実施形態のビデオカメラの断面図である
【図８】第１の実施形態のビデオカメラのボトムカバーの図である。
【図９】第２の実施形態のビデオカメラの分解斜視図である。
【発明を実施するための形態】
【００１１】
以下に、本発明の実施形態を添付の図を基に詳細に説明する。
【００１２】
＜第１の実施の形態＞
図１は、本発明の実施形態の撮像装置である、ビデオカメラ１の外観斜視図である。図１（ａ）は、ビデオカメラ１を上面側から見た外観斜視図であり、図１（ｂ）は、ビデオカメ１を底面側から見た外観斜視図である。図１（ｃ）は、スタンド開き状態のビデオカメラ１を底面側より見た外観斜視図である。
【００１３】
ビデオカメラ１は、被写体像を結像させるためのレンズ部１１が設けてある。レンズ部１１の後方には被写体像を電子信号に変換するためのＣＣＤやＣＭＯＳセンサー等の撮像素子が設けられている。ビデオカメラ１の本体内部には、撮像素子により出力された電子信号の処理を行うための電気素子が実装された回路基板が設置されている。
【００１４】
ビデオカメラ１の正面側にレンズ部１１、レンズ部１１の左右にマイク１２、ビデオカメラ１の正面側から見て上面側に二軸ヒンジを備えた表示ユニット１３が設けられている。表示ユニット１３には液晶表示パネル１３ａが設けてあり、液晶表示パネル１３ａ前面には透明なタッチパネルを備えているため様々な操作が行える。
【００１５】
ビデオカメラ１の正面側より見て底面側に内蔵されたＵ字のスタンド１４が設けられている。スタンド１４とビデオカメラ１本体との接続部であるスタンドヒンジ１４ａは底面側の後方側に設置されている。スタンド１４を開くことにより凹形状スタンド収納部１４ｂが露出する。
【００１６】
ビデオカメラ１の底面側に三脚取り付け部材１５が設置されており、三脚に取り付けるためのネジ穴部が外部に露出している。
【００１７】
また、ビデオカメラ１の後方側に、電池蓋ユニット１６が設けられ、その内側にバッテリーが備えられている。
【００１８】
ビデオカメラ１の正面側より見て左側に電源スイッチ１８が有りスライド操作することにより電源のＯＮ、ＯＦＦ操作を行う。ビデオカメラ１の正面側より見て右側にレリーズボタン１９を設けてある。レリーズボタン１９を押すことにより撮影された静止画データは外部記録媒体に保存される。ビデオカメラ１の上面側に設置してある、液晶表示パネル１３ａのタッチパネル操作により、ビデオＲＥＣ開始及び終了を行う。ビデオＲＥＣ開始及び終了操作により記録された動画データも、静止画データと同様に外部記録媒体に保存される。外部記録媒体に保存された静止画データや動画データは、液晶表示パネル１３ａのタッチパネル操作により再生を行い液晶表示パネル１３ａに表示される。本実施形態では、外部記録媒体はメモリーカード等の記録媒体を使用し、外部記録媒体のスロットはビデオカメラ１の正面側より見て右側のスロットカバー２０の内側に配置されている。
【００１９】
図２は、ビデオカメラ１の表示ユニット１３の開き状態の外観斜視図である。図２（ａ）はビデオカメラ１を後方側より、図２（ｂ）はビデオカメラ１を正面側より見たときの表示ユニット１３の開き状態の外観斜視図である。図２（ｃ）は、ビデオカメラ１の表示ユニット１３を開き、表示ユニット１３を前方に回転させ、正面側より見た外観斜視図である。
【００２０】
ビデオカメラ１では、ビデオカメラ１の後方に二軸ヒンジ１３ｂを備えている。二軸ヒンジ１３ｂの本体側の軸を回転させることにより、撮影時に液晶表示パネル１３ａを見え易くすることができる（図２（ａ）、（ｂ））。また、二軸ヒンジ１３ｂの本体側の軸を回転させた後に、二軸ヒンジ１３ｂの表示ユニット１３側の軸を回転させることにより、ビデオカメラ１の前方に液晶表示パネル１３ａを向けることで、自分撮りを容易にできる構造となっている（図２（ｃ））。
【００２１】
次にビデオカメラ１の電気的動作に関して説明する。
【００２２】
図３は、ビデオカメラ１の電気的構成を示すブロック図である。
【００２３】
レンズ部１１を通して結像された被写体像は撮像素子２１により電子信号に変換された後、画像処理部２２で処理される。画像処理部２２で処理された電子信号はワークメモリ部２３に送られ、静止画や動画データを記録する場合は外部記録媒体２４に記録される。
【００２４】
また、画像処理部２２で処理されワークメモリ部２３に送られた信号はスルー画として、液晶表示パネル１３ａに表示される。ここでは、画像処理部２２と制御部２５とワークメモリ部２３を統合させたものが制御ＩＣ２６である。
【００２５】
静止画の保存に関しては、レリーズボタン１９から制御部２５に送られた信号をトリガーとして、撮像素子２１から読み出され、画像処理部２２に入ってきた信号をワークメモリ部２３を介して、外部記録媒体２４に静止画として記録される。
【００２６】
動画の記録に関しては、タッチパネル操作によりタッチパネル部２７から、ビデオＲＥＣ開始の信号が制御部２５に送られ、外部記録媒体２４への動画データの記録が始まる。ビデオＲＥＣ終了に関しては、タッチパネル操作によりタッチパネル部２７から信号が送られ、ビデオＲＥＣ終了の信号により外部記録媒体２４への動画データの記録が終了する。電力供給に関しての制御は電源ＩＣ２８により行われ、バッテリー電源部２９とＡＣ電源部３０の電源操作を行っている。
【００２７】
また、制御ＩＣ２６や電源ＩＣ２８等の電気素子は回路基板３１に実装されている。
【００２８】
図４は、ビデオカメラ１の長時間撮影時の撮影形態を示す外観斜視図である。図４（ａ）は、ビデオカメラ１に三脚を取り付けての撮影時の外観斜視図であり、図４（ｂ）はビデオカメラ１に内蔵されたスタンド１４を使用しての撮影時の外観斜視図である。
【００２９】
通常のビデオカメラにおいて長時間撮影する場合は、三脚に取り付け任意の方向にビデオカメラを向けて固定し撮影が行われる場合が多い。ビデオカメラ１においても、三脚取り付け部材１５を有し、三脚取り付け部材１５に、三脚を取り付けての撮影が可能となっている。
【００３０】
ビデオカメラ１では、本体に内蔵されたスタンド１４を使用しての長時間撮影も可能となっている。図４（ｂ）では、ビデオカメラ１に取り付けられたスタンド１４を開くことにより、チルト方向に角度を変えて固定し、長時間撮影することができる。
【００３１】
スタンド１４はビデオカメラ１の正面側より見て底面側に設置してあり、底面側の後方側にスタンドヒンジ１４ａを備えている。スタンド１４は収納状態である閉じ状態に凹形状のスタンド収納部１４ｂに収納され、三脚取り付け時に三脚と干渉しない形状となっている。スタンド１４の最大開き状態では、閉じ状態と比較して約９０度まで開く構造となっている。スタンド１４は閉じ状態と最大開き状態の間の任意の角度に開き、固定できるようになっている。
【００３２】
次にビデオカメラ１の内部構成について説明する。
【００３３】
図５は、ビデオカメラ１の分解斜視図である。図６は、回路基板３１及びレンズ部１１の斜視図であり、図６(ａ)は上面側より見た斜視図であり、図６(ｂ)は底面側より見た斜視図である。図６(ｃ)は、回路基板３１に基板保持部材３５と三脚取り付け部材１５を組み付け、上面側より見た斜視図である。図６(ｄ)は、回路基板３１に基板保持部材３５と三脚取り付け部材１５を組み付け、底面側より見た斜視図である。
【００３４】
図７は、ビデオカメラ１の内部構成を示す断面図であり、図７(ａ)は、図７(ｂ)と図７(ｃ)の断面位置を示す図であり、本体を底面側より見た図である。図７(ｂ)は、図７(ａ)の断面Ｂを示した断面図である。図７(ｃ)は、図７(ａ)の断面Ｃを示した断面図である。図７では、便宜上、スタンド１４と表示ユニット１３を取り外した図である。図８は、ボトムカバーの図であり、図８(ａ)は内側から見た図であり、図８(ｂ)は外側からに見た図である。
【００３５】
ビデオカメラ１の底面側はボトムカバー３２により覆われており、ボトムカバー３２は樹脂材料により成形されている。ボトムカバー３２には凹形状のスタンド収納部１４ｂが設けられており、凹形状のスタンド収納部１４ｂと三脚取り付け部材１５を固定するためにスタンド収納部留めビス３３で留められている。
【００３６】
スタンド１４の開き状態では放熱部である凹形状のスタンド収納部１４ｂの底面、及びスタンド収納部留めビス３３が露出し、放熱を行う。
【００３７】
また、凹形状のスタンド収納部１４ｂには、三脚取り付け部材１５に通じる放熱孔３４が配置してある。スタンド１４開き状態には放熱孔３４が露出し、放熱に寄与する。
【００３８】
また、凹形状のスタンド収納部１４ｂの内側にグラファイトシート等の熱伝導率が高いシートを配置してもよく、更に効率良く放熱できる。
【００３９】
三脚取り付け部材１５は回路基板３１と接するように、基板保持部材３５と基板保持部材留めビスにより固定されている。また、ビデオカメラ１では、三脚取り付け部材１５は亜鉛ダイキャスト等の熱伝導率の高い金属材料により形成されている。
【００４０】
回路基板３１上の三脚取り付け部材１５が配置される位置の裏側の近傍には制御ＩＣ２６、及び電源ＩＣ２８が実装されている。制御ＩＣ２６、及び電源ＩＣ２８は回路基板３１の主要な発熱源であり、近傍に配置されている三脚取り付け部材１５に熱が伝わりやすい構成となっている。
【００４１】
また、三脚取り付け部材１５は撮像素子２１とも近い位置にあり、撮像素子２１の熱が伝熱し易い位置関係である。
【００４２】
以上の構成より、三脚を取り付けた場合は、三脚を通して三脚取り付け部材１５の熱が外部に放熱される構成となっている。また、スタンド１４の開き状態では三脚取り付け部材１５の熱が凹形状のスタンド収納部１４ｂの底面を通して外部に放熱できる構造となっている。スタンド１４の収納状態である閉じ状態では、高温になる凹形状のスタンド収納部１４ｂの底面や放熱孔３４には触れられない構造となっている。また、スタンド１４の開き状態でも、高温になる凹形状のスタンド収納部１４ｂの底面や放熱孔３４には触れにくい構造となっている。
【００４３】
以上の構成により、ビデオカメラ１のスタンド１４の開き状態では、長時間撮影時においても、凹形状のスタンド収納部１４ｂの底面や放熱孔３４からの放熱により、ビデオカメラ１の内部が高温になることを防いでいる。
【００４４】
＜第２の実施の形態＞
第１の実施形態のビデオカメラ１と同様の部分については同じ符号を使用する。図９は、本発明の第２の実施形態の撮像装置である、ビデオカメラ１００の分解斜視図である。
【００４５】
第２の実施形態ではボトムカバー３２の形状が第１の実施形態であるビデオカメラ１と異なる。第２の実施の形態であるビデオカメラ１００はボトムカバー３２と凹形状放熱部材５１とが別の部材となっている。
【００４６】
ビデオカメラ１００の底面側はボトムカバー３２により覆われており、ボトムカバー３２は樹脂材料により形成されている。ボトムカバー３２は三脚取り付け部材１５とボトムカバー留めビス５２により固定されている。凹形状放熱部材５１は三脚取り付け部材１５とスタンド収納部留めビス３３により締結されている。ビデオカメラ１００において、凹形状放熱部材５１は亜鉛ダイキャスト等の熱伝導率が高い金属材料で構成されている。凹形状放熱部材５１の裏側にグラファイトシート等の熱伝導率が高いシートを配置してもよく、更に効率良く放熱できる。
【００４７】
スタンド１４の開き状態では放熱部である凹形状放熱部材５１の底面、及び凹形状放熱部材５１を固定するスタンド収納部留めビス３３が露出し、放熱を行う。
【００４８】
また、ボトムカバー３２と凹形状放熱部材５１の間には、三脚取り付け部材１５に通じる放熱孔３４が配置してある。スタンド１４の開き状態では放熱孔３４が露出し、放熱に寄与する。三脚取り付け部材１５は回路基板３１と接するように、基板保持部材３５と基板保持部材留めビスにより固定されている。また、ビデオカメラ１００では、三脚取り付け部材１５は亜鉛ダイキャスト等の熱伝導率の高い金属材料により形成されている。
【００４９】
回路基板３１上の三脚取り付け部材１５が配置される位値の裏側の近傍には制御ＩＣ２６、及び電源ＩＣ２８が実装されている。制御ＩＣ２６、及び電源ＩＣ２８は回路基板３１の主要な発熱源であり、近傍に配置されている三脚取り付け部材１５に熱が伝わりやすい構成となっている。また、三脚取り付け部材１５は撮像素子２１とも近い位置にあり、撮像素子２１の熱が伝熱し易い位置関係である。
【００５０】
以上の構成より、三脚を取り付けた場合は、三脚を通して三脚取り付け部材１５の熱が外部に放熱される構造となっている。また、スタンド１４の開き状態では三脚取り付け部材１５の熱が放熱部である凹形状放熱部材５１の底面を通して外部に放熱できる構造となっている。また、スタンド１４の収納状態には、高温になる凹形状放熱部材５１の底面や放熱孔３４には触れられない構造となっている。また、スタンド１４の開き状態にも、高温になる凹形状放熱部材５１の底面や放熱孔３４には触れにくい構造となっている。
【００５１】
以上の構成により、ビデオカメラ１００のスタンド１４の開き状態では、長時間撮影時においても、凹形状放熱部材５１の底面や放熱孔３４からの放熱により、ビデオカメラ１００の内部が高温になることを防いでいる。
【００５２】
以上、本発明の好ましい実施形態について説明したが、本発明はこれらの実施形態に限られず、その要旨の範囲内で種々の変形及び変更が可能である。
【符号の説明】
【００５３】
１１    レンズ部
１４    スタンド
１４ｂ  凹形状のスタンド収納部
１５    三脚取り付け部材
２６    制御ＩＣ
２８    電源ＩＣ
３１    回路基板
３３    スタンド収納部留めビス
３４    放熱孔
５１    凹形状放熱部材
【図１】
2015004828.tif 000003
【図２】
2015004828.tif 000004
【図３】
2015004828.tif 000005
【図４】
2015004828.tif 000006
【図５】
2015004828.tif 000007
【図６】
2015004828.tif 000008
【図７】
2015004828.tif 000009
【図８】
2015004828.tif 000010
【図９】
2015004828.tif 000011